(57)【要約】      （修正有）【課題】柱または梁である鉄筋建築物構造体を補強するためのスターラップ構造を提供する。【解決手段】スターラップ構造１０は、複数の折曲部１０２と、複数の直線部１０１とを含むことを特徴とする。前記複数の折曲部は、鉄筋で湾曲状になる形を有し、前記複数の直線部は、鉄筋で直線状になる形を有し、前記複数の折曲部のうち少なくとも一方に接続可能である。前記複数の折曲部と前記複数の直線部とは、互いに一体に接続されるとともに四角形状領域を形成し、前記スターラップ構造は、鉄筋建築物構造体を補強するために用いられる。【選択図】図１
0003208485.tif 000002
【実用新案登録請求の範囲】
【請求項１】
鉄筋で湾曲状になる形を有する複数の折曲部と、
鉄筋で直線状になる形を有し、前記複数の折曲部のうち少なくとも一方に接続可能である複数の直線部と、を含み、
前記複数の折曲部と前記複数の直線部とは、互いに一体に接続されるとともに四角形状領域を形成し、かつ、鉄筋建築物構造体を補強するために用いられることを特徴とするスターラップ構造。
【請求項２】
前記複数の折曲部と前記複数の直線部とは、互いに接続し複数の長方形領域及び複数の四角形領域を形成し、前記複数の長方形領域は、多格状に並べられ、前記複数の四角形領域のうち少なくとも１つがこの四角形の中央に位置されていることを特徴とする請求項１記載のスターラップ構造。
【請求項３】
角形筋、円形筋またはスパイラル筋をさらに含むことを特徴とする請求項１または２に記載のスターラップ構造。
【請求項４】
前記複数の折曲部と前記複数の直線部で形成した三角形領域をさらに含むことを特徴とする請求項１または２に記載のスターラップ構造。
【請求項５】
前記鉄筋建築物構造体は、柱であることを特徴とする請求項１または２に記載のスターラップ構造。
【請求項６】
前記鉄筋建築物構造体は、梁であることを特徴とする請求項１または２に記載のスターラップ構造。
【請求項７】
複数の略長方形の長方形領域を形成し、長方形状のスパイラル状を呈することを特徴とする請求項６記載のスターラップ構造。
【請求項８】
８以上の折曲部を有することを特徴とする請求項１記載のスターラップ構造。
【請求項９】
前記鉄筋建築物構造体は、梁と壁の結合体、梁と版の結合体、または梁と壁と版の結合体であることを特徴とする請求項８記載のスターラップ構造。
【請求項１０】
前記鉄筋建築物構造体は、柱と壁の結合体、柱と版の結合体、または柱と壁と版の結合体であり、前記柱は、化粧柱を含むことを特徴とする請求項８記載のスターラップ構造。
【考案の詳細な説明】
【技術分野】
【０００１】
本考案は、鉄筋構造とし、特に、鉄筋建築物構造体を補強するためのスターラップ構造に関する。
【背景技術】
【０００２】
台湾と日本は、環太平洋地震帯に位置し、地震活動の活発なプレート境界の場所に属する。２００１〜２０１２年の１２年間での観測データによれば、台湾地域では、地震が１年あたりおよそ２２，０００回発生し、その内、およそ５００回が有感地震であることが示されている。特に、１９９９年９月２１日に発生した「９２１大地震」と２０１６年２月６日に発生した「２０６大地震」は、いずれも、何棟もの建築物が倒壊し多い人員の死傷をもたらした。
【０００３】
地震による生命や財産の損失を避けるため、どのように安全かつ耐震な建築物を建築することが最も大事である。台湾の建築構造では、主に鉄筋コンクリート造（ＲＣ）、鉄骨造（ＳＣ）及び鉄骨鉄筋コンクリート造（ＳＲＣ）の３種類に分けられている。鉄筋コンクリート造は、最も多く利用されている工法でもあり、総計の圧倒的多数を占めている。そのため、鉄筋コンクリート造を補強する技術は、人々の生命や財産の安全確保には非常に重要な意味を持っている。
【０００４】
家屋構造が地震力を受けると、鉄筋コンクリートの梁（または柱）の端部が大きなせん断力を受けるので、地震力によるせん断力に応じるために、従来の鉄筋コンクリートの梁（または柱）の端部は、常に、２つの梁のスターラップ筋（あばら筋）（または柱の帯筋（フープ））の配置を持つようになっている。
【０００５】
しかしながら、従来の梁のスターラップ筋（または柱の帯筋）では、各鉄筋同士間の間隔が小さく設計されており、その上、伝統方式である２つのスターラップ筋で、さらに最上部の鉄筋を加えて締結する方法により施工すると、梁主筋（または柱主筋）上方の梁のスターラップ筋（または柱の帯筋）が密集されるようになり、コンクリートを流れ込みにくく充実に打設できず、コンクリートと鉄筋の付着力の的確さに影響してしまう。
【０００６】
そこで、従来技術が生じた問題を解決することが可能なスターラップ構造が強く求められている。
【考案の概要】
【考案が解決しようとする課題】
【０００７】
これに鑑みて、本考案は、鉄筋建築物構造体を補強するためのスターラップ構造を提出した。ここで、鉄筋建築物構造体は、柱または梁である。
【課題を解決するための手段】
【０００８】
本考案に係るスターラップ構造は、複数の折曲部と、複数の直線部とを含むことを特徴とする。前記複数の折曲部は、鉄筋で湾曲状になる形を有し、前記複数の直線部は、鉄筋で直線状になる形を有し、前記複数の折曲部のうち少なくとも一方に接続可能である。前記複数の折曲部と前記複数の直線部とは、互いに一体に接続されるとともに四角形状領域を形成し、前記スターラップ構造は、鉄筋建築物構造体を補強するために用いられる。
【０００９】
本考案に係るスターラップ構造の一実施例では、前記複数の折曲部と前記複数の直線部とは、互いに接続し複数の長方形領域及び複数の四角形領域を形成し、前記複数の長方形領域は、多格状に並べられ、前記複数の四角形領域のうち少なくとも１つがこの四角形の中央に位置されている。
【００１０】
本考案に係るスターラップ構造の一実施例では、前記スターラップ構造が、角形筋、円形筋またはスパイラル筋をさらに含む。
【００１１】
本考案に係るスターラップ構造のいくつかの実施例では、前記スターラップ構造は、前記複数の折曲部と前記複数の直線部で形成した三角形領域をさらに含む。
【００１２】
本考案に係るスターラップ構造のいくつかの実施例では、前記鉄筋建築物構造体は、柱である。
【００１３】
本考案に係るスターラップ構造のいくつかの実施例では、前記鉄筋建築物構造体は、梁である。
【００１４】
本考案に係るスターラップ構造のいくつかの実施例では、前記スターラップ構造は、複数の略長方形の長方形領域を形成し、前記スターラップ構造は、長方形状のスパイラル状を呈する。
【００１５】
本考案に係るスターラップ構造の一実施例では、前記スターラップ構造は、８以上の折曲部を有する。
【００１６】
本考案に係るスターラップ構造の一実施例では、前記鉄筋建築物構造体は、梁と壁の結合体、梁と版の結合体、または梁と壁と版の結合体である。
【００１７】
本考案に係るスターラップ構造の一実施例では、前記鉄筋建築物構造体は、柱と壁の結合体、柱と版の結合体、または柱と壁と版の結合体であり、前記柱は、化粧柱を含む。
【図面の簡単な説明】
【００１８】
【図１】本考案に係るスターラップ構造を用いる一実施例の梁構造を模式的に示す断面図である。
【図２】本考案に係るスターラップ構造を用いる他の実施例の梁構造を模式的に示す断面図である。
【図３】図１のスターラップ構造の使用時の模式図である。
【図４】本考案に係るスターラップ構造の実施例を示す模式図である。
【図５】本考案に係るスターラップ構造の実施例を示す模式図である。
【図６】梁構造と柱構造との接合を示す模式図である。
【図７】本考案に係るスターラップ構造を用いる一実施例の柱構造を示す模式図である。
【図８】本考案に係るスターラップ構造を用いる他の実施例の柱構造を示す模式図である。
【図９】本考案に係るスターラップ構造を用いる他の実施例の柱構造を示す模式図である。
【図１０】本考案に係るスターラップ構造を用いる他の実施例の柱構造を示す模式図である。
【図１１】図１０のスターラップ構造を用いる柱構造の側面図である。
【図１２】本考案のスターラップ構造の一実施例を示す模式図である。
【図１３】本考案のスターラップ構造の他の実施例を示す模式図である。
【図１４】図１２及び図１３のスターラップ構造の使用状態の模式図である。
【図１５】図１２及び図１３のスターラップ構造の使用状態の模式図である。
【図１６Ａ】本考案に係るスターラップ構造を用いる一実施例の鉄筋構造を示す模式図である。
【図１６Ｂ】図１６Ａのスターラップ構造を用いる鉄筋コンクリート造の模式図である。
【図１７Ａ】本考案に係るスターラップ構造を用いる他の実施例の鉄筋構造を示す模式図である。
【図１７Ｂ】図１７Ａのスターラップ構造を用いる鉄筋コンクリート造の模式図である。
【図１８Ａ】本考案に係るスターラップ構造を用いる一実施例の鉄筋構造を示す模式図である。
【図１８Ｂ】図１８Ａのスターラップ構造を用いる鉄筋コンクリート造の模式図である。
【図１９】本考案に係るスターラップ構造を用いる一実施例の鉄筋コンクリ構造を示す模式図である。
【図２０】本考案に係るスターラップ構造を用いる他の実施例の鉄筋コンクリ構造を示す模式図である。
【図２１】本考案に係るスターラップ構造を用いる他の実施例の鉄筋コンクリ構造を示す模式図である。
【図２２】本考案に係るスターラップ構造を用いる他の実施例の鉄筋コンクリ構造を示す模式図である。
【図２３】本考案に係るスターラップ構造を用いる他の実施例の鉄筋コンクリ構造を示す模式図である。
【図２４】本考案に係るスターラップ構造を用いる他の実施例の鉄筋コンクリ構造を示す模式図である。
【図２５】本考案に係るスターラップ構造を用いるもう一つの実施例の鉄筋コンクリ構造を示す模式図である。
【図２６】本考案に係るスターラップ構造を用いるいくつかの変形例を示す模式図である。
【図２７】本考案に係るスターラップ構造を用いるいくつかの変形例を示す模式図である。
【考案を実施するための形態】
【００１９】
本考案は、複数の折曲部と、複数の直線部とを含むことを特徴とするスターラップ構造を提供する。この複数の折曲部は、鉄筋で湾曲状になる形を有し、この複数の直線部は、鉄筋で直線状になる形を有し、複数の折曲部のうち少なくとも一方に接続可能である。複数の折曲部と複数の直線部とは、互いに一体に接続されるとともに四角形状領域を形成する。当該スターラップ構造は、鉄筋建築物構造体を補強するために用いられる。鉄筋建築物構造体は、柱または梁であってよい。
【００２０】
以下、スターラップ構造の複数の実施例を例に、本考案の様々な実施形態を説明する。しかしながら、本考案に係るスターラップ構造の態様及び配置の方法は、以下の例示的な実例に限定されず、その他の変形や修飾例であってもよい。
【００２１】
また、以下に図１ないし図６に示す実施例では、スターラップ構造は、梁主筋に巻き付けられたために用いられ、その梁主筋は、例えば地上に平行するか、柱構造に直交するようになっている。このスターラップ構造は、梁となる鉄筋建築物構造体を補強するために用いられるものである。
【００２２】
図１は、本考案に係るスターラップ構造を用いる一実施例の梁構造を模式的に示す断面図である。図１に示す梁構造１では、スターラップ構造１０は、複数の直線部１０１と、複数の折曲部１０２とを含む。この複数の折曲部１０２は、湾曲状を呈する柱状構造である。この複数の直線部１０１は、直線状を呈する柱状の構造で、複数の折曲部１０２の間に接続されている。複数の折曲部１０２と複数の直線部１０１とは、一体に成形されたスターラップ構造であって、複数の略長方形の長方形領域Ａ１を形成するスターラップ構造１０であり、複数の略長方形領域Ａ１同士が交互にオーバーラップ領域Ａ２を形成する。
【００２３】
このスターラップ構造１０は、複数の梁主筋１２に嵌め込んで梁構造１を形成するためのものである。少なくとも１つのオーバーラップ領域Ａ２及び長方形領域Ａ１の当該オーバーラップ領域Ａ２でない部分は、それぞれ複数の梁主筋１２に嵌め込むために用いられる。言い換えると、前記のオーバーラップ領域Ａ２は、複数の梁主筋１２が貫通可能となるように設けられる一方、各略長方形領域Ａ１のオーバーラップ領域Ａ２でない部分も、複数の梁主筋１２が貫通可能となるように設けられている。
【００２４】
実施時に、構造の強さを増加するため、スターラップ構造１０毎の先端及び末端は、それぞれ９０度のフックまたは１３５度のフックとなるアンカー構造であってよい。図１に示すように、スターラップ構造１０の先端及び末端は、全て１３５度のフックとなるが、それは例示だけであり、本考案は、このアンカー構造に対して特別に限定しない。
【００２５】
図２は、本考案に係るスターラップ構造を用いる他の実施例の梁構造を示す模式図である。図２に示すように、本実施例は、図１の一実施例と同様であり、両者の構造上の違いは、本実施例のスターラップ構造１０Ａは、複数の長方形領域Ａ１で交互に複数のオーバーラップ領域Ａ２を形成する構造である。図２に示すように、直線部１０１Ａと折曲部１０２Ａとで３つの長方形領域Ａ１を囲んで形成し、かつ３つの長方形領域Ａ１は、交互に２つのオーバーラップ領域Ａ２を形成するが、本考案は、長方形領域Ａ１の数量及びオーバーラップ領域Ａ２の数量について限定せず、要求や実際の情況に応じて設計調整することができる。
【００２６】
図３は、図１のスターラップ構造の使用時の模式図である。例を挙げると、上段梁主筋１２１を高く上げるように上段梁主筋１２１を柱構造２の柱主筋に挿通することができる。次に、複数のスターラップ構造１０を上げられた上段梁主筋１２１に嵌め込んで、かつ各スターラップ構造１０は互いに隣接する。続いて、下段梁主筋１２２をスターラップ構造１０に挿入してさらに柱主筋６に挿通する。最後に（図３に示すように）、相互の隣り合う各スターラップ構造１０を所定間隔で配列し、さらに、スターラップ構造１０と上段梁主筋１２１及び下段梁主筋１２２とを結束する。
【００２７】
図４及び図５は、本考案のスターラップ構造の実施例を示す模式図である。図４に示すように、本実施例では、スターラップ構造１０Ｂは、複数の直線部１０１Ｂと、複数の折曲部１０２Ｂとを含む。この複数の折曲部１０２Ｂとこの複数の直線部１０１Ｂとは、一体に成形されたスターラップ構造であって、複数の略長方形の長方形領域Ａ１を形成し、長方形領域Ａ１が互いに重ね合いかつ相互に間隔Ｄを空いている。このスターラップ構造１０Ｂは、複数の梁主筋に嵌め込むために用いられ、言い換えると、複数の略長方形領域Ａ１で重なって形成したスターラップ構造１０は、複数の梁主筋が挿通可能となるように設けられている。
【００２８】
実施時に、構造の強さを増加するため、スターラップ構造１０Ｂ毎の先端及び末端は、それぞれ１３５度、９０度のフックとなってもよい（図４に示すように）、或いは、スターラップ構造１０Ｂの先端及び末端は、全て１３５度のフックとなる。
【００２９】
図５は、本考案に係るスターラップ構造の実施例を示す模式図である。図５に示すように、本実施例では、スターラップ構造１０Ｃは、複数の直線部１０１Ｃと、複数の折曲部１０２Ｃとを含む。図５に示す実施例は、図４の実施例と同様であり、両者の構造上の違いは、図５に示す本実施例のスターラップ構造１０Ｃは、３以上のスターラップ筋を例にする点である。しかしながら、本考案は、スターラップ構造の数量について限定せず、要求や実際の情況に応じて設計調整することができる。
【００３０】
他のいくつかの実施例では、さらに、本考案に係るスターラップ構造を用いる梁構造を予組み立て鉄筋構造にすれば、他の鉄筋構造とつないで建築物の構造体の一部分にすることができる。この予組み立て鉄筋構造は、モジュールの形で現場に取り付けて建築物を建築するようになっており、この予組み立て鉄筋構造は、前もって鉄筋を組み立てし成形するものであるため、工事現場で速やかに施工し、建築物の建築効率や正確さを増進することができ、建築物の構造安全問題を改善することができる。
【００３１】
図６は、梁構造と柱構造との接合を示す模式図である。図６に示すように、柱構造２と梁構造１Ｄとは、互いに重ね継ぐように固定されている。梁構造１Ｄは、複数のスターラップ構造１０Ｄと、複数の梁主筋１２Ｄとを含み、スターラップ構造１０Ｄは、例えば、以上のいずれか１つのスターラップの実施例（１０、１０Ａ、１０Ｂまたは１０Ｃ）、あるいはその他の本考案による修飾例や変更例である。
【００３２】
以下の図７ないし図１５に示す実施例では、スターラップ構造は、柱主筋に嵌め付けられるために用いられ、柱主筋は、例えば地上または柱構造に直交する。この点について当業者に周知であるため、繰り返し説明しない。また、以下の実施例では、柱構造は、少なくともスターラップ構造と柱主筋とを含む。スターラップ構造は、少なくとも柱の帯筋を含み、柱の帯筋は、複数の折曲部と複数の直線部とを有する。このスターラップ構造は、柱となる鉄筋建築物構造体を補強するために用いられる。
【００３３】
図７は、本考案に係るスターラップ構造を用いる一実施例の柱構造を示す模式図である。図７に示すように、スターラップ構造２０は、１本の鉄筋を折り曲げて閉鎖な四角形の柱帯筋２１を形成し、かつ、柱帯筋２１は、複数の略長方形領域Ｒ１と、四角形領域Ｒ３とを含み、複数の略長方形領域Ｒ１は、多格状の配列であり、四角形領域Ｒ３と中央格領域Ｒ２とが互いに重ねて結束されている。閉鎖な四角形の柱帯筋２１は、複数の柱主筋２９が挿通可能となるように設けられていることによって、柱構造を形成する。
【００３４】
図８は、本考案に係るスターラップ構造を用いる他の実施例の柱構造を示す模式図である。図８に示すように、本実施例は、図７の実施例と同様であり、両者の構造上の違いは、本実施例のスターラップ構造２０Ａは、柱帯筋２２と角形筋２０２とを含む。詳しく（図８に示すように）、本実施例の柱帯筋２２の鉄筋は、折り曲げ時に四角形領域Ｒ３が取り囲まれず、もう一つの鉄筋を折り曲げて閉鎖な四角形の角形筋２０２を形成し、かつ、角形筋２０２は、多格状に並べられた複数の長方形領域Ｒ１のうちの中央格領域Ｒ２に重ねて結束されている。本実施例の柱帯筋２２及び角形筋２０２は、複数の柱主筋２９が挿通可能となるように設けられていることによって、柱構造を形成する。
【００３５】
図９は、本考案に係るスターラップ構造を用いる他の実施例の柱構造を示す模式図である。図９に示すように、本実施例が図８の実施例の構造との主な違いは、本実施例のスターラップ構造２０Ｂは、柱の帯筋２３と円形筋２０３とを含む点である。円形筋２０３は、もう一つの鉄筋を折り曲げて形成される。本実施例の柱の帯筋２３及び円形筋２０３は、複数の柱主筋２９が挿通可能となるように設けられていることによって、柱構造を形成する。
【００３６】
図１０は、本考案に係るスターラップ構造を用いる他の実施例の柱構造を示す模式図であり、図１１は、図１０のスターラップ構造を用いる柱構造の側面図である。図１０及び図１１に示すように、本実施例のスターラップ構造２０Ｃは、複数の柱帯筋２４と、スパイラル筋２０４とを含む。本実施例のそれぞれの柱帯筋２４も、上記した各実施例の柱帯筋と同様に、１本の鉄筋を折り曲げて閉鎖な四角形を形成し、本実施例におけるスパイラル筋２０４は、もう１本の鉄筋を折り曲げてスパイラル状に形成されている。図１１に示すように、複数の柱帯筋２４が、互いに間隔を空いて複数の柱主筋２９に設けられ、各柱帯筋２４の複数の略長方形領域Ｒ１は、多格状に並べられ、かつ、これらの柱帯筋２４の中央垂直オーバーラップ領域Ｒ４にはスパイラル筋２０４が挿通され、スパイラル筋２０４とこれらの柱帯筋２４とは互いに結束されている。このように、柱帯筋２４及びスパイラル筋２０４は、複数の柱主筋２９が挿通可能となるように設けられていることによって、柱構造を形成する。
【００３７】
また、本考案の他のいくつかの実施例では、スターラップ構造は、複数の折り曲げた鉄筋で繋いで形成された閉鎖的な多角形の柱帯筋を含み、閉鎖な多角形の複数の隅角部が折り曲げられて複数の結束エリアを形成する。これらの実施例では、このスターラップ構造は、複数の柱主筋に嵌め込むほか、鉄骨の柱にも嵌め込まれる。例を挙げると、閉鎖な多角形は、鉄骨の柱が貫くために供え、この複数の結束エリアは、複数の柱主筋に嵌め込んで結束するために設けられている。また、このスターラップ構造を用いる柱構造は、鉄骨を含んでもよい。以下に、実施例を例に挙げて説明する。
【００３８】
図１２は、本考案のスターラップ構造の一実施例を示す模式図である。図１２に示すように、スターラップ構造２０Ｄは、２本の折り曲げられた鉄筋２１０、２１１を含む。工事時に、少なくとも２本の折り曲げられた鉄筋２１０、２１１が、溶接または結束によって閉鎖な多角形の鉄筋構造を形成し、柱の帯筋とすることができる。
【００３９】
鉄筋２１０は、複数の隅角部２３１で折り曲げられて複数の結束エリア２３２を形成し、鉄筋２１１は、隅角部２３１で折り曲げられて複数の結束エリア２３２を形成する。図１２に示すように、鉄筋２１０は、３つの三角形の結束エリア２３２を折り曲げて形成し、鉄筋２１１は、１つの三角形の結束エリア２３２を折り曲げて形成する。
【００４０】
閉鎖な多角形は、鉄骨の柱が貫くために供え、複数の結束エリア２３２は、複数の柱主筋２５０が貫くために供えるとともに結束される。この工法は、後続の段落に説明する。また、実施時に、折り曲げられた鉄筋２１０、２１１の先端または末端は、１３５度のフックにであってよい。
【００４１】
図１３は、本考案のスターラップ構造の他の実施例を示す模式図である。図１３に示すように、スターラップ構造２０Ｅは、折り曲げられた４本の鉄筋２１４〜２１７を含み、鉄筋２１４〜２１７毎は、隅角部２３１で折り曲げて結束エリア２３２を形成する。
【００４２】
工事時に、鉄筋２１４〜２１７は、溶接によって閉鎖的な多角形を形成して鉄筋構造を形成し、閉鎖な多角形は、鉄筋の柱が貫くために供え、複数の結束エリア２３２は、複数の柱主筋に挿通して結束するために供える。
【００４３】
前記の通り、図１２及び図１３のスターラップ構造は、複数の柱主筋の外、鉄骨の柱に嵌め込むこともできる。この例では、複数の柱帯筋を工事現場において溶接または結束することによって結びつける。このように、工事の利便性及び建物の構造強さの向上を両立させることができる。
【００４４】
例えば、鉄筋２１０と鉄筋２１１を鉄骨柱２４０に取り囲んで対にするとともに、スターラップ構造２Ｄを結束して形成し、鉄骨柱２４０をスターラップ構造２Ｄの閉鎖な多角形内に設置させる。同様な方法で複数のスターラップ構造２Ｄを形成し鉄骨柱２４０に嵌め込む。引き続いて、図１４に示すように、複数本の柱主筋２５０をそれぞれ複数のスターラップ構造２Ｄの複数の結束エリア２３２に挿入する。鉄骨柱２４０の高さが柱主筋２５０の長さよりも大きいため、工事上、つなぐ方法で十分な長さを形成するのである。最後に、複数のスターラップ構造２Ｄを予め位置に固定し、複数の柱主筋２５０を結束エリア２３２に結束する。
【００４５】
図１５は、図１３のスターラップ構造の使用状態の模式図である。図１５に示すように、梁と柱の交会箇所は、鉄筋２１４〜２１７で形成されたスターラップ構造２０Ｅを用いればよい。まず、梁の上で穴をあけて、鉄筋２１４〜２１７１の一端を挿入させ、挿入した後、溶接してスターラップ構造２０Ｅを形成する。
【００４６】
前記の通り、本考案の前記図７ないし図１５の実施例のスターラップ構造は、労働者が結束固定するには必要な時間を減らし、工事の欠陥を減らすことができる。単一のスターラップ構造によって、建築物における柱構造の製作がより施工しやすくなる。また、柱は、このようなスターラップ構造を使うため、建築工程の工事効率と的確さを増進するとともに、従来構造よりも補強された柱構造体を実現することができる。また、本考案のいくつかの実施例では、このスターラップ構造による柱構造は、予組み立て鉄筋構造であるため、柱構造のモジュラー化を実現することができ、よって、工事の効率を増進可能で、建築物全体の構造の補強に役立つ。また、この鉄筋構造で形成した鉄筋コンクリート造は、建築物構造を補強する効果に達することができる。
【００４７】
本考案のもう一つの観点によって、単一の鉄筋で形成した一体成形のスターラップ構造を提供し、従来のスターラップ筋とつなぎ筋の効果を両立させることが可能で、労働者が結束固定する際に必要な時間や工事の欠陥を減らすことができる。また、この鉄筋構造は、主支持構造、例えば梁または柱を構成するほか、さらに延在構造、例えば壁、版または化粧柱などの必要な枠構造を構成することによって、建築工程の工事効率と的確さを増進することができ、かつ従来の構造よりも補強された構造体を実現することができ、従来の壁や化粧柱が別に定額外の帯筋を用いる必要があり、結束しにくく、並びに従来の構造強さが不足である問題を解決することができる。
【００４８】
図１６Ａは、本考案に係るスターラップ構造を用いる一実施例の鉄筋構造を示す模式図である。本実施例では、スターラップ構造３１ａは、単一の鉄筋を複数回折り曲げで製造される。このスターラップ構造３１ａは、複数の折曲部と、複数の直線部とを有し、ここで、これらの折曲部の数は、８以上である。本実施例では、このスターラップ構造３１ａは、８つの折曲部Ｌ１〜Ｌ８を有し、隣接する折曲部Ｌ１〜Ｌ８の間に直線部２３ａ〜２３ｇが配置されている。このスターラップ構造３１ａの第１端Ｅ１と第２端Ｅ２は、それぞれ折曲部Ｌ１とＬ８を有し、アンカー構造を形成し、その折り曲げ角度は、１３５度である。アンカー構造は、当業者に周知であるため、ここで繰り返し説明しない。
【００４９】
本実施例では、連続した２つの折曲部Ｌ６及びＬ７及びその連結した直線部２３ｆと直線部２３ｅ、２３ｇとの部分ブロックは、延在構造の枠体を構成する。その他の折曲部Ｌ１〜Ｌ５及びＬ８と直線部２３ａ〜２３ｄ及び直線部２３ｅ、２３ｇとの部分ブロックは、主支持構造が必要な枠体を構成する。説明すべくは、主支持構造が梁であってよい、延在構造が版または壁であってよいが、これらに限定されない。また、いくつかの実施例では、延在構造は、主支持構造の２側、３側、または４側へ延伸してもよい。
【００５０】
さらに、図１６Ａを参照すると、本実施例では、鉄筋構造３ａは、複数の主筋３０と、複数のスターラップ構造３１ａとを含む。主筋３０のそれぞれは、直線型の鉄筋で構成され、複数の主筋３０は、軸方向上（図面に垂直な方向）に並べて２列形成されている。この複数のスターラップ構造３１ａは、径方向上にこの複数の主筋３０に嵌め込まれ、隣接するスターラップ構造の間に距離を有する。また、折曲部Ｌ１、Ｌ５及びＬ８が主筋３０に嵌め込まれる時、同一位置に位置し、直線部２３ｇがさらに折り曲げられて折曲部Ｌ９を形成する。
【００５１】
図１６Ａに示すスターラップ構造３１ａは、事前に工場で作製しておいてもよい、スターラップ構造３１が工事現場まで搬送されると、複数のスターラップ構造３１ａを主筋３０の周りに直接に嵌め込んで結束することができ、このように、労働者が結束固定する際に必要な時間及び工事の欠陥を減らすことができる。また、主筋３０とスターラップ構造３１ａとを含む鉄筋構造３ａを工場内で前もって作製しておき、さらに現場まで搬送して施工すればよい。このように、建築構造において、例えば壁とドア、壁と窓または壁と柱、壁と梁などの境界箇所で鉄筋を結束しにくい問題を解決することができる。
【００５２】
図１６Ｂは、図１６Ａのスターラップ構造を用いる鉄筋コンクリート造の模式図である。図１６Ｂに示すように、鉄筋コンクリート造４ａは、梁となる主支持構造３２ａと、壁となる延在構造３３ａとを含む。詳しくは、鉄筋コンクリート造４ａは、複数の主筋３０と、複数のスターラップ構造３１ａと、コンクリートとを含む。例を挙げると、図１６Ａに示す主筋３０とスターラップ構造３１ａとで形成した鉄筋構造３ａを利用し、かつ型板の補助を介して、型板内にコンクリートを流れ込むことで、鉄筋コンクリート造４ａを形成する。図１６Ｂでは、点状エリアは、主筋３０、スターラップ構造３１ａ及びコンクリートで形成した、梁の部分に用いる主支持構造３２ａを表す。斜線エリアは、スターラップ構造３１ａとコンクリートとで形成した、建築物の壁や版体となる延在構造３３ａを表し、本実施例では壁である。また、いくつかの実施例では、スターラップ構造３１ａの延在構造３３ａは、代わって主支持構造３２ａ（すなわち梁）の上方、下方または上下に配置して壁にすることもできる。また、他のいくつかの実施例では、スターラップ構造３１ａの延在構造３３ａは、代わって主支持構造３２ａ（すなわち梁）の左側、右側または左右に配置して壁にすることもできる。
【００５３】
図１７Ａは、本考案に係るスターラップ構造を用いる他の実施例の鉄筋構造を示す模式図である。本実施例では、スターラップ構造３１ｂは、単一の鉄筋を複数回折り曲げで製造される。このスターラップ構造３１ｂは、複数の折曲部と、複数の直線部とを有し、ここで、これらの折曲部の数は、１４以上である。本実施例では、このスターラップ構造３１ｂは、１６つの折曲部Ｌ１〜Ｌ１６を有し、隣接する折曲部Ｌ１〜Ｌ１６の間に直線部２３ａ〜２３ｏが配置されている。このスターラップ構造３１ｂの第１端Ｅ１と第２端Ｅ２は、それぞれ折曲部Ｌ１とＬ１６を有し、アンカー構造を形成し、その折り曲げ角度は、１３５度である。本実施例では、延在構造の枠体は、連続した２つの折曲部Ｌ１４及びＬ１５とその連結した直線部２３ｎ、直線部２３ｍ及び２３ｏの部分ブロック、及び連続した２つの折曲部Ｌ２及びＬ３とその連結した直線部２３Ｂ、直線部２３ａ及び２３ｃとの部分ブロックで構成されている。主支持構造が必要な枠体は、その他の折曲部Ｌ４〜Ｌ１３及び直線部２３ｄ〜２３Ｌと、直線部２３ａ、２３ｃ、２３ｍ、２３ｏとの部分ブロックで構成されている。本実施例では、主支持構造は柱であり、延在構造は、化粧柱または壁であってよいが、これに限定されない。
【００５４】
さらに、図１７Ａを参照すると、本実施例では、鉄筋構造３ｂは、複数の主筋３０と、複数のスターラップ構造３１ｂとを含む。主筋３０毎は、直線型の鉄筋で構成し、複数の主筋３０は、軸方向上で長方形の構造に並べられている。複数のスターラップ構造３１ｂは、径方向で複数の主筋３０に嵌め込まれ、隣接するスターラップ構造の間に距離を有する。スターラップ構造３１ｂは、工場で作製しておいてもよい、スターラップ構造３１ｂが工事現場まで搬送されると、複数のスターラップ構造３１ｂを主筋３０の周りに直接に嵌め込んで結束することができ、このように、労働者が結束固定する際に必要な時間及び工事の欠陥を減らすことができる。また、主筋３０とスターラップ構造３１ｂとを含む鉄筋構造３ｂを工場内で前もって作製しておいてもよい、さらに現場まで搬送して施工し、このように、建築構造において、例えば壁とドア、壁と窓または、壁と柱、壁と梁などの境界箇所に鉄筋を結束しにくい問題を解決することができる。
【００５５】
図１７Ｂは、図１７Ａのスターラップ構造を用いる鉄筋コンクリート造の模式図である。例を挙げると、図１７Ａに示す主筋３０とスターラップ構造３１ｂとで形成した鉄筋構造３ｂを利用し、かつ型板の補助を介して、型板内にコンクリートを流れ込むことで、鉄筋コンクリート造４ｂを形成する。図１７Ｂでは、点状エリアは、主筋３０、スターラップ構造３１ｂ及びコンクリートで形成した、梁の部分に用いる主支持構造３２ｂを表す。斜線エリアは、スターラップ構造３１ｂとコンクリートとで形成した、建築物の化粧柱となる延在構造３３ｂを表す。
【００５６】
図１８Ａは、本考案に係るスターラップ構造を用いる一実施例の鉄筋構造を示す模式図であり、図１８Ｂは、図１８Ａのスターラップ構造を用いる鉄筋コンクリート造の模式図である。本実施例では、鉄筋構造３ｃは、主筋３０と、スターラップ構造３１ｃとを含み、主筋３０の特徴は、前記と同様であるため、ここで繰り返し説明しない。スターラップ構造３１ｃは、折曲部Ｌ１〜Ｌ１７と、直線部２３ａ〜２３ｐと有する。本実施例のスターラップ構造３１ｃは、図１７Ａのスターラップ構造３１ｂの構造とほぼ同様であり、その違いは、延在構造の領域が異なる点である。図１８Ｂでは、鉄筋コンクリート造４ｃは、図１８Ａの鉄筋構造３ｃを、型板の補助を介して型板内にコンクリートを流れ込むことで形成される。図１８Ｂでは、点状領域は、コンクリートを流れ込んで形成した、例えば柱である主支持構造３２ｃを表す。双斜線領域は、コンクリートを流れ込んで形成した延在構造３３ｃを表す。本実施例の延在構造３３ｃは、建築物の壁として用い、主支持構造３２ｃの片側面に接続されている。
【００５７】
図１９は、本考案に係るスターラップ構造を用いる一実施例の鉄筋コンクリ構造を示す模式図である。図１９に示すように、鉄筋コンクリート造４ｄは、複数の主筋３０と、複数のスターラップ構造３１ｄと、コンクリートとを含む。スターラップ構造３１ｄは、折曲部Ｌ１〜Ｌ２１と、直線部２３ａ〜２３ｔとを有する。本実施例のスターラップ構造３１ｄは、図１７Ａのスターラップ構造３１ｂの構造とほぼ同様であり、その違いは、本実施例では２つの延在構造を有する点である。図１９では、点状領域は、コンクリートを流れ込んで主支持構造３２ｄを形成した、ここで柱であることを表す。斜線と双斜線領域は、２つの延在構造３３ｄと３３ｅを形成した、それぞれが建築物の化粧柱及び壁とし、かつそれぞれ柱の隣接する２側面上に接続されていることを表す。
【００５８】
図２０は、本考案に係るスターラップ構造を用いる他の実施例の鉄筋コンクリ構造を示す模式図である。図２０に示すように、鉄筋コンクリート造４ｅは、複数の主筋３０と、複数のスターラップ構造３１ｅと、コンクリートとを含む。本実施例では、スターラップ構造３１ｅは、折曲部Ｌ１〜Ｌ２１と、直線部２３ａ〜２３ｔとを有する。本実施例のスターラップ構造３１ｅは、図１９のスターラップ構造３１ｄと同様であり、その違いは、本実施例では３つの延在構造を有する点である。図２０に示すように、点状領域は、柱である主支持構造３２ｅを表す。斜線と双斜線領域は、延在構造３３ｆ、３３ｇ及び３３ｈを表し、ここで、延在構造３３ｇは、建築物の化粧柱とし、延在構造３３ｆ及び３３ｈは、建築物の壁として用い、延在構造３３ｆ、３３ｇ及び３３ｈがそれぞれ主支持構造３２ｅの３つの側面に接続されている。
【００５９】
図２１は、本考案に係るスターラップ構造を用いる他の実施例の鉄筋コンクリ構造を示す模式図である。図２１に示すように、鉄筋コンクリート造４ｆは、複数の主筋３０と、複数のスターラップ構造３１ｆと、コンクリートとを含む。スターラップ構造３１ｆは、折曲部Ｌ１〜Ｌ９と、直線部２３ａ〜２３ｈとを有する。また、スターラップ構造３１ｆの折曲部Ｌ１、Ｌ５、Ｌ９は、同一位置に位置し、上下に並べられている。図２１では、点状領域は、主筋３０、スターラップ構造３１ｆ及びコンクリートで形成した、梁の構造に用いる主支持構造３２ｆを表す。斜線領域は、スターラップ構造３１ｆとコンクリートで形成した、建築物の版とする延在構造３３ｉを表す。
【００６０】
図２２は、本考案に係るスターラップ構造を用いる他の実施例の鉄筋コンクリ構造を示す模式図である。図２２に示すように、鉄筋コンクリート造４ｇは、複数の主筋３０と、複数のスターラップ構造３１ｇと、コンクリートとを含む。鉄筋コンクリート造４ｇは、梁となる主支持構造３２ｇと、版となる延在構造３３ｊ及び３３ｋとを有し、図２１との違いは、版となる延在構造３３ｊ及び３３ｋがそれぞれ主支持構造３２ｇの両側に配置されている点である。ここで、折曲部Ｌ１、Ｌ９は、同一位置に位置し、上下に並べられている。
【００６１】
図２３は、本考案に係るスターラップ構造を用いる他の実施例の鉄筋コンクリ構造を示す模式図である。図２３に示すように、鉄筋コンクリート造４ｈは、複数の主筋３０と、複数のスターラップ構造３１ｈと、コンクリートとを含む。このスターラップ構造３１ｈは、折曲部Ｌ１〜Ｌ１２と、直線部２３ａ〜２３ｋとを有する。また、折曲部Ｌ１、Ｌ５は、同一位置に位置し、上下に並べられている。
【００６２】
図２３では、点状領域は、主筋３０、スターラップ構造３１ｈ及びコンクリートで形成した、梁の構造に用いられる主支持構造３２ｈを表す。斜線領域は、スターラップ構造３１ｈとコンクリートとで形成した、それぞれ建築物の壁と版である延在構造３３Ｌ及び３３ｍを表す。また、いくつかの実施例では、スターラップ構造も、２以上の延在構造を有してよい、例えば、２つが版の延在構造として梁とつなぎ、または、１つが版の延在構造として梁とつなぎ、もう１つが壁の延在構造としてこの版体の延在構造に繋がる。
【００６３】
図２４は、本考案に係るスターラップ構造を用いる他の実施例の鉄筋コンクリ構造を示す模式図である。図２４に示すように、鉄筋コンクリート造４ｉは、複数の主筋３０と、複数のスターラップ構造３１ｉ、とコンクリートとを含む。図２４に示すように、この筋体２０は、折曲部Ｌ１〜Ｌ１３と、直線部２３ａ〜２３Ｌとを有する。また、折曲部Ｌ１、Ｌ５は、同一位置に位置し、上下に並べられている。
【００６４】
図２４では、点状領域は、主筋３０、スターラップ構造３１ｉ及びコンクリートで形成した、梁の構造に用いる主支持構造３２ｉを表す。斜線領域は、スターラップ構造３１ｉと、コンクリートとで形成した、それぞれ建築物の壁と版である延在構造３３ｎ及び３３ｏを表す。ここで、延在構造３３ｏが主支持構造３２ｉに接続し、延在構造３３ｎが延在構造３３ｏに接続されている。
【００６５】
図２５は、本考案に係るスターラップ構造を用いるもう一つの実施例の鉄筋コンクリ構造を示す模式図である。本実施例では、鉄筋コンクリート造４ｊは、複数の主筋３０と、複数のスターラップ構造４５と、コンクリートとを含む。この鉄筋コンクリート造４ｊは、１つの主支持構造４０と、３つの延在構造４１〜４３を有し、ここで、主支持構造４０は、建築物の柱で、延在構造４１〜４３は、この柱とつながる壁であり、合計で３つの壁を有する。主支持構造４０内に複数の主筋４４を有し、複数のスターラップ構造４５（図中１つしか示さず）は、主筋４４の周りに嵌め込まれ、隣接するスターラップ構造４５の間は、間隔を有する。本実施例では、スターラップ構造４５は、折曲部Ｌ１〜Ｌ２６と、連結した複数の直線部とで構成される。本実施例では、延在構造は、３組の両連続した折曲部から構成し、その中、１組の折曲部Ｌ１９及びＬ２０とそれに接続された直線部とは、第１延在構造４２が必要な枠を構成する。もう１組の折曲部Ｌ２２及びＬ２３とそれに接続された直線部とは、第２延在構造４１が必要な枠を構成する。最後１組の折曲部Ｌ２４及びＬ２５とそれに接続された直線部とは、第３延在構造４３が必要な枠を構成する。延在構造４１〜４３の間は、少なくとも１本の直線部を介して接続し、かつ、それぞれ主支持構造４０の３側に配置されている。例を挙げると、主筋４４とスターラップ構造４５との間のスペースにコンクリートを流れ込むことで、鉄筋コンクリート造４ｊを形成する。
【００６６】
以上のように、本考案の前記図１６Ａないし図２５の実施例の各スターラップ構造は、単一の鉄筋で形成した一体成形なスターラップ構造であるため、従来のスターラップ筋とつなぎ筋の効果を両立させることが可能で、労働者が結束固定する際に必要な時間や工事の欠陥を減らすことができる。また、単一のスターラップ構造により、建築物の柱及びその延在構造、例えば壁、版または化粧柱などが必要な鉄筋がより施工しやすくなり、従来の壁や化粧柱が別に定額外のスターラップ筋を用いる必要がある問題や結束しにくい問題を解決することができる。また、この鉄筋構造で形成した鉄筋コンクリート造を利用すれば、建築物構造を補強する効果に達することができる。
【００６７】
なお、本考案に係るスターラップ構造は、さらに、変更によりその他の場所に応用することができる。図２６及び図２７は、本考案に係るスターラップ構造を用いるいくつかの変形例を示す模式図である。図２６に示すように、スターラップ構造５０１も、前記実施例のように、複数の折曲部と、複数の直線部とを有し、かつ相互交差して中央挿通孔領域ＣＡを形成する。スターラップ構造５０１は、１本の鉄筋で取り囲んで形成してもよいし、複数の鉄筋で接続して構成しもよい。中央貫通孔領域ＣＡは、略多角形になるとともに、少なくとも１本の配管５０８が貫通可能となるように設けられている。図２６に示すように、スターラップ構造５０１は、梁貫通孔補強鉄筋構造を形成するために用いられ、震動時にせん断抵抗力を付与する。
【００６８】
また、図２７は、本考案に係るスターラップ構造のいくつかの変形例を示す。図２７に示すように、複数のスターラップ構造５０２は、少なくとも５角形状になり、かつ相互交差して中央挿通孔領域を形成する。複数のスターラップ構造５０２で形成した梁貫通孔補強鉄筋構造によって、梁を通過する配管５０９を貫通させる。配管５０９を取り付ける時に、配管５０９の梁内側寄りの両側に、それぞれスターラップ構造５０２を付加して、配管５０９の周りのせん断強さを増加する。そのため、震動する時に、スターラップ構造の５０２は、せん断抵抗力を提供することが可能で、配管５０９の位置でせん断力による割れを避けられ、構造全体を補強することができる。
【００６９】
前記図２６及び図２７の技術案による有利な効果は、スターラップ構造で梁貫通孔補強鉄筋構造を提供し、良好なせん断力を提供する上、比較的簡単な構造を有することによって、工事の難しさ及びコストを低下することができる。
【００７０】
上述したように、本考案の内容は、すでに以上のような実施例を例に説明したが、本考案は、これらの実施形態に限定されるものではない。いずれの本考案に属する技術分野における通常の知識を持つ当業者であれば、本考案の精神及び範囲から逸脱しない限り、様々な変更や修飾を加えることは当然可能であり、例えば、前記実施例に示す各技術内容を新しい実施形態に組み合わせまたは変更すると、これらの実施形態も、もちろん本考案に属するものと見なす。そのため、本考案が保護しようとする範囲も、後述の実用新案登録請求の範囲及びその定義した範囲に含まれる。
【符号の説明】
【００７１】
１、１Ａ、１Ｄ              梁構造
１０、１０Ａ〜１０Ｄ        スターラップ構造
１０１、１０１Ａ〜１０１Ｃ  直線部
１０２、１０２Ａ〜１０２Ｃ  折曲部
Ａ１                        長方形領域
Ａ２                        オーバーラップ領域
１２、１２Ｄ                梁主筋
１２１                      上段梁主筋
１２２                      下段梁主筋
２                          柱構造
Ｄ                          間隔
２０、２０Ａ〜２０Ｅ        スターラップ構造
２０２                      角形筋
２０３                      円形筋
２０４                      スパイラル筋
２１〜２４                  柱帯筋
Ｒ１                        長方形領域
Ｒ２                        中央格領域
Ｒ３                        四角形領域
Ｒ４                        中央垂直オーバーラップ領域
２９                        柱主筋
２１０、２１１、２１４〜２１７  鉄筋
２３１                      隅角部
２３２、２３３              結束エリア
２４０                      鉄骨柱
２５０                      柱主筋
Ｅ１                        第１端
Ｅ２                        第２端
Ｌ１〜Ｌ２６                折曲部
２３ａ〜２３ｔ              直線部
３ａ、３ｂ、３ｃ            鉄筋構造
３０                        主筋
３１ａ〜３１ｉ              スターラップ構造
３２ａ〜３２ｉ              主支持構造
３３ａ〜３３ｏ              延在構造
４ａ〜４ｊ                  鉄筋コンクリート造
４０                        主支持構造
４１、４２、４３            延在構造
４４                        主筋
４５                        スターラップ構造
５０１、５０２              スターラップ構造
５０８、５０９              配管
ＣＡ                        中央貫通孔領域
【図１】
0003208485.tif 000003
【図２】
0003208485.tif 000004
【図３】
0003208485.tif 000005
【図４】
0003208485.tif 000006
【図５】
0003208485.tif 000007
【図６】
0003208485.tif 000008
【図７】
0003208485.tif 000009
【図８】
0003208485.tif 000010
【図９】
0003208485.tif 000011
【図１０】
0003208485.tif 000012
【図１１】
0003208485.tif 000013
【図１２】
0003208485.tif 000014
【図１３】
0003208485.tif 000015
【図１４】
0003208485.tif 000016
【図１５】
0003208485.tif 000017
【図１６Ａ】
0003208485.tif 000018
【図１６Ｂ】
0003208485.tif 000019
【図１７Ａ】
0003208485.tif 000020
【図１７Ｂ】
0003208485.tif 000021
【図１８Ａ】
0003208485.tif 000022
【図１８Ｂ】
0003208485.tif 000023
【図１９】
0003208485.tif 000024
【図２０】
0003208485.tif 000025
【図２１】
0003208485.tif 000026
【図２２】
0003208485.tif 000027
【図２３】
0003208485.tif 000028
【図２４】
0003208485.tif 000029
【図２５】
0003208485.tif 000030
【図２６】
0003208485.tif 000031
【図２７】
0003208485.tif 000032